(57)【要約】      （修正有）【課題】日除け板下方への雨水の滲入及び撥入を回避でき、日除け板下方の熱気を上方へと排出可能な通気機能を備え、且つ螺合部材による日除け板の螺接が不要で、日除け板の破壊を回避できる日除け板サポート棒構造を提供する。【解決手段】日除け板サポート棒１構造であって、中空本体１０を有し、本体内には、水槽１００を区画し、本体は、下固定板１２、少なくとも１個の固定リップ１３、複数の下開口１７、複数の上開口１８、遮水板１０１、導水槽１９を有する。サポート棒１は日除け板下方の熱気を、サポート棒１より日除け板上方へと排出可能で、またサポート棒１内への雨水の撥入を回避できる。且つ、日除け板は挟合固定方式により固定されるため、ネジを日除け板に通して螺接する必要がないため、日除け板の破壊を回避できる。【選択図】図１
0003197347.tif 000002
【実用新案登録請求の範囲】
【請求項１】
日除け板サポート棒構造であって、中空本体を有し、前記本体内には、水槽を区画し、
前記本体は、下固定板、少なくとも１個の固定リップ、複数の下開口、複数の上開口、遮水板、導水槽を有し、
前記下固定板は、前記本体中段の片側外壁に位置し、前記本体外壁より、外へと延長して形成し、
前記少なくとも１個の固定リップは、前記本体外壁より延伸し、且つ前記下固定板上方に位置し、圧板を連接して固定し、前記圧板は、固定された後、前記下固定板との間に、挟合槽を有し、これにより前記日除け板の端部は、前記下固定板と前記圧板との間の挟合槽内に嵌入され、前記圧板は、下圧機構により押され、前記日除け板を下方へと押す力を備え、且つ前記圧板と前記日除け板底端間には、防水棒を設置し、
前記複数の下開口は、前記下固定板下方の本体側壁に設置され、これにより前記日除け板下方と前記本体内部とは、相互に通じ、
前記複数の上開口は、前記固定リップ上方の本体側壁に設置され、これにより前記日除け板上方と前記本体内部とは、相互に通じ、
前記遮水板は、前記本体外側壁に位置し、且つ前記上開口方に位置し、前記本体外壁より下方へと延長し、
前記導水槽は、前記本体下方外壁に位置し、且つ前記下開口下方に位置し、槽口は上を向き、前記導水槽の外側頂点縁と、前記下固定板との間には、連接管端部を収容して固定されることを特徴とする日除け板サポート棒構造。
【請求項２】
前記日除け板サポート棒構造であって、
前記肩部、前記下固定板、前記固定リップ、前記複数の下開口、前記複数の上開口、前記遮水板、前記導水槽は、前記本体両側にそれぞれ設置され、
これにより、前記サポート棒は、２個の日除け板を接続する日除け板中間サポート棒として用いられることを特徴とする請求項１に記載の日除け板サポート棒構造。
【請求項３】
前記固定リップは、フック状を呈し、フック口は上方へ向い、
前記圧板と前記固定リップとの連接するところには、下湾部を有し、
前記下湾部と前記フック口とは、掛けて接続されることを特徴とする請求項１或いは２に記載の日除け板サポート棒構造。
【請求項４】
前記圧板は、下圧機構に押される構造で、固定部材を有し、
前記固定部材は、前記圧板上方の且つ前記固定リップに近い端より、上から下へと斜めに挿入され、下固定板の本体に近い端と螺接され、
前記圧板は、前記固定リップのフック口と掛けて接続するところを支点とし、前記固定部材を固定後、前記圧板を下方へと押し、これにより前記日除け板端部は、前記圧板と前記下固定板との間に、力を入れて挟持されることを特徴とする請求項３に記載の日除け板サポート棒構造。
【請求項５】
前記圧板を下方へと押す下圧機構は、前記固定リップ上方に弾性を備える下圧棒を設置し、
前記下圧棒一端は、前記本体側壁と連接し、別の一端は、下方へと湾曲し、下圧端を有し、前記固定リップに設置する下方へと斜めに延伸する導引面との間に、縦方向の挟持間隙を有し、
前記圧板の頂点面は、前記下圧端に対応し、下方へと陥没した係合道を有し、これにより前記圧板端部は、前記縦方向挟合間隙より、挿入され、前記圧板の下湾部と前記固定リップのフック口とを係合して接続後、前記下圧棒の下圧端は、前記圧板の係合道内に入り、前記圧板を嵌合し、及び前記圧板を下方へと押さえることを特徴とする請求項３に記載の日除け板サポート棒構造。
【請求項６】
前記本体内壁の、前記上、下開口の間には、遮水部を設置し、
前記遮水部は、前記本体内壁より下方へと延伸することを特徴とする請求項１或いは２に記載の日除け板サポート棒構造。
【請求項７】
前記下固定板の板面には、陥没状に防滲水槽を設置し、
前記防滲水槽の槽口は、上向きに設置されることを特徴とする請求項１或いは２に記載の日除け板サポート棒構造。
【請求項８】
前記サポート棒の傾斜状に固定された後の低端には、蓋板を固定し、
前記蓋板底端には、通口を有し、前記サポート棒水槽内に進入した水は、前記通口により排出されることを特徴とする請求項１或いは２に記載の日除け板サポート棒構造。
【請求項９】
前記サポート棒の低端には、集水梁を設置し、
前記集水梁は、前記各サポート棒と垂直に交接し、前記頂点端内部には、集水槽が区画され、前記サポート棒の水槽及び前記日除け板の低端と相互に通じることを特徴とする請求項８に記載の日除け板サポート棒構造。
【請求項１０】
前記本体は、前記固定リップ上方の外壁に、第一歯面を有し、
前記圧板の前記第一歯面に近い頂点面には、第二歯面を有し、
これにより、前記固定リップと前記圧板との間の内挟角位置に防水接着剤を塗布すると、前記第一、第二歯面の設置により、前記防水接着剤塗布の結合力を強化できることを特徴とする請求項３に記載の日除け板サポート棒構造。
【請求項１１】
前記固定リップは、上、下に配列される上固定リップ及び下固定リップを有し、
前記本体は、前記下固定リップ上方の外側壁に、第三歯面を有することを特徴とする請求項１０に記載の日除け板サポート棒構造。
【請求項１２】
前記サポート棒底面下方には、横方向サポート梁を固定し、
前記サポート梁頂点面の、前記各サポート棒を結合する予定の位置には、結合台を固定し、
前記結合台頂点面は、前記サポート棒の底端幅に対応し、結合槽を区画し、これに前記サポート棒底部を嵌め入れ、さらに穿接部材により、前記サポート棒の導水槽側壁腹部と螺接し、前記サポート棒を前記サポート梁上に固定することを特徴とする請求項１或いは２に記載の日除け板サポート棒構造。
【請求項１３】
前記サポート棒が傾斜状に固定された後の高端には、固定接続棒が設置され、
前記固定接続棒は、前記各サポート棒の高端位置の固定壁面上に固定され、前記各サポート棒と垂直に交接し、
前記固定接続棒の前記各サポート棒に面した端には、嵌入槽を有し、前記嵌入槽内には、托板を固定し、
これにより、前記各サポート棒の高端を前記嵌入槽内に嵌入後、前記托板上に固定して支えることを特徴とする請求項１或いは２に記載の日除け板サポート棒構造。
【請求項１４】
前記連接管の頂点面には、棒状パッドを螺合して固定し、
前記棒状パッド頂点面には、軟性防水棒を固定し、前記日除け板底面と密着することを特徴とする請求項１或いは２に記載の日除け板サポート棒構造。
【請求項１５】
前記下固定板には、外へと翼板を延伸し、ネジを前記翼板に通した後、連接管と螺合して固定し、
前記導水槽槽内底面には、上向きの係止体を突出状に設置し、ネジ作用端を係止後、前記本体と、下方に位置するサポート梁とを螺接することを特徴とする請求項１或いは２に記載の日除け板サポート棒構造。
【考案の詳細な説明】
【技術分野】
【０００１】
本考案は日除け板サポート棒構造に関し、特に日除け板下方への雨水の滲入及び撥入を回避でき、日除け板下方の熱気を上方へと排出可能な通気機能を備え、且つ螺合部材による日除け板の螺接が不要で、日除け板の破壊を回避できるサポート棒構造に関する。
【背景技術】
【０００２】
日除け板下方の熱気を上方へと排出可能な通気性を備える日除け板の従来の構造には、本考案者の考案である特許文献１、特許文献２、特許文献３がある。
【先行技術文献】
【特許文献】
【０００３】
【特許文献１】台湾特許第Ｍ４２３７１８号明細書
【特許文献２】台湾特許第Ｍ４２９６３４号明細書
【特許文献３】台湾特許第Ｍ４４７９０４号明細書
【考案の概要】
【考案が解決しようとする課題】
【０００４】
前記先行技術は、改善の余地がある。
【課題を解決するための手段】
【０００５】
日除け板下方への雨水の滲入及び撥入を回避でき、日除け板下方の熱気を上方へと排出可能な通気機能を備え、且つネジによる日除け板の螺接が不要で、日除け板の破壊を回避できる日除け板サポート棒構造に関する。
【０００６】
本考案による日除け板サポート棒構造において、サポート棒は、中空本体を有する。
該本体は、少なくとも１個の下固定板、少なくとも１個の固定リップ、少なくとも１個の下開口、少なくとも１個の上開口、少なくとも１個の遮水板、少なくとも１個の遮水部、少なくとも１個の導水槽を有する。
該下固定板は、該本体下方から外へと延長して形成される。
該固定リップは、該下固定板上方に位置し、圧板を連接し、該圧板は、固定された後、下圧機構により押され、該圧板底面に設置される防水棒及び該日除け板と接続される。
該下開口は、該本体側壁の下固定板下方に設置され、これにより該日除け板下方と該本体内部とは、相互に通じる。
該上開口は、該本体側壁の上固定リップ上方に設置され、これにより該日除け板上方と該本体とは、相互に通じる。
該遮水板は、該本体外側壁に位置し、且つ該上開口方に位置し、該本体外壁より下方へと延長する。
該導水槽は、該本体下方外壁に位置し、且つ該下開口下方に位置し、頂点縁と、該下固定板との間には、連接管端部を収容して固定され、頂点縁下方により、該連接管と接続される。
【考案の効果】
【０００７】
本考案日除け板サポート棒構造において、日除け板下方の熱気は、サポート棒により日除け板上方へと排出可能である。さらに、サポート棒内への雨水の撥入を回避できる。且つ、日除け板は挟合固定方式により固定されるため、ネジを日除け板に通して螺接する必要がないため、日除け板の破壊を回避することができる。
【図面の簡単な説明】
【０００８】
【図１】本考案の一実施形態による日除け板サポート棒構造の辺用サポート棒構造の側視図である。
【図２】本考案の一実施形態による日除け板サポート棒構造の中間用サポート棒構造の側視図である。
【図３】本考案の一実施形態による日除け板サポート棒構造のサポート棒と日除け板等の組み立て立体図である。
【図４】図３の部分分解図（一）である。
【図５】図３の部分分解図（二）である。
【図６】図３の６ｓ−６ｓ線に沿ってカットされた断面図である。
【図７】図３の７ｓ−７ｓ線に沿ってカットされた断面図である。
【図８Ａ】図７の８Ａ拡大図である。
【図８Ｂ】図７の８Ｂ拡大図である。
【図８Ｃ】図７の８Ｃ拡大図である。
【図９】本考案第一実施形態の辺用サポート棒と日除け板など結合の側視図である。
【図１０】本考案第一実施形態の中間用サポート棒と日除け板など結合の側視図である。
【図１１】本考案第一実施形態の辺用サポート棒と比較的薄い日除け板などの結合図である。
【図１２】本考案第二実施形態の辺用サポート棒と日除け板など結合の側視図である。
【図１３】本考案第二実施形態の中間用サポート棒と日除け板など結合の側視図である。
【図１４】本考案第三実施形態の辺用サポート棒と日除け板など結合の側視図である。
【図１５】本考案第三実施形態の中間用サポート棒と日除け板など結合の側視図である。
【図１６】本考案第四実施形態の辺用サポート棒構造の側視図である。
【図１７】本考案第四実施形態の中間用サポート棒構造の側視図である。
【図１８】本考案第四実施形態の辺用サポート棒と日除け板など結合の側視図である。
【図１９】本考案第四実施形態の中間用サポート棒と日除け板など結合の側視図である。
【図２０】本考案第五実施形態の辺用サポート棒と日除け板など結合の側視図である。
【図２１】本考案第五実施形態の中間用サポート棒と日除け板など結合の側視図である。
【図２２】本考案第五実施形態の辺用サポート棒と日除け板など結合の側視図である。
【図２３】本考案第五実施形態の中間用サポート棒と日除け板など結合の側視図である。
【考案を実施するための形態】
【０００９】
以下に図面を参照しながら本考案を実施するための最良の形態について詳細に説明する。
【実施例１】
【００１０】
本考案第一実施形態のサポート棒１は、辺用サポート棒１ａ（図１参照）、中間用サポート棒１ｂ（図２参照）の２種を有する。辺用サポート棒１ａは、日除け板キットの最外縁に設置し、最辺縁に位置する日除け板２のサポートに用いる。中間用サポート棒１ｂは、２個の日除け板２の連接用に用いる。以下のサポート棒１は、第一実施形態の辺用サポート棒１ａを例とする。辺用サポート棒１ａは、中空本体１０を有する。本体１０内には、水槽１００を区画する。本体１０内部底面の２個の内挟角端には、下固定孔１０Ａをそれぞれ設置する。本体１０（図２参照）は、肩部１１、下固定板１２、複数の固定リップ１３、複数の下開口１７、複数の上開口１８、遮水板１０１、遮水部１０２、導水槽１９を有する。
【００１１】
肩部１１は、本体１０中段の片側外壁に位置する。下固定板１２は、肩部１１外側端より、外へと延長する（二者を一体と見做す）。下固定板１２頂点面下には、第一嵌槽１２０を有する。下固定板１２と肩部１１との間には、陥没した予備の防滲水槽１２１を有する。
【００１２】
複数の固定リップ１３は、上下に配列する上固定リップ１３Ａ、下固定リップ１３Ｂを有し、フック状を呈し、フック口は上方へ向い、本体１０外壁上に位置し、且つ肩部１１上方において、予定の間隔を開けて、圧板１４を連接する（図５、９参照）。圧板１４は、日除け板２の厚みに応じて、上固定リップ１３Ａ或いは下固定リップ１３ｂと連接する。圧板１４は、固定された後、下固定板１２との間に、挟合槽１４１を有する（図９参照）。これにより、日除け板２の一端は、挟合槽１４１内に挟まれて固定される。圧板１４底面には、第二嵌槽１４０を設置する。第一、第二嵌槽１２０、１４０には、防水棒１５の一部端面をそれぞれ嵌め入れて固定する。これにより、２個の防水棒１５の防水面は、下固定板１２と圧板１４との間に位置し、且つ日除け板２の上下表面に密着し、防水性を備える。圧板１４の固定方式は、一端に、下湾部１４２を備え、固定リップ１３と掛けて接続する他、下圧機構（ネジなどの固定部材１６）を用いる。圧板１４上方は、圧板１４を通って、肩部１１と固定し、圧板１４を固定するため、挟合槽１４１は、日除け板２上下端面を挟合する時、挟合応力を備える。本体１０は、上、下固定リップ１３Ａ、１３Ｂ上方から真っ直ぐの外壁に、第一歯面１３０、第三歯面１３２を有する。圧板１４頂点面には、第二歯面１４３を有する（図９参照）。これにより、日除け板２とサポート棒１とは結合後は、本体１０と固定リップ１３との間の内挟角位置Ａに防水接着剤（防水シリコンなど）を塗布し、防水機能を達成することができる。第一、第二歯面１３０、１４３の設置により、防水接着剤は、内挟角位置Ａにより容易に固定される。
【００１３】
複数の下開口１７は、下固定板１２下方の本体１０側壁に設置され、これにより日除け板２下方空間と本体１０内部とは、相互に通じる（図１、図７、図８、図９参照）。
【００１４】
複数の上開口１８は、上固定リップ１３Ａ上方の本体１０側壁に設置され、これにより日除け板２上方空間と本体１０内部とは、相互に通じる（図１、図７、図８、図９参照）。
【００１５】
遮水板１０１は、本体１０外側壁に位置し、且つ上開口１８上方に位置し、本体１０外壁より下方へと延長する。本体１０と遮水板１０１の内挟角端には、上固定孔１０Ｂを設置する（図１参照）。
【００１６】
遮水部１０２は、本体１０内に位置し、且つ上、下開口１８、１７の間に位置し、本体１０内壁より下方へと延長する（図１参照）。
【００１７】
図１に示すとおり、導水槽１９は、陥没状を呈し、本体１０の外側に位置し、且つ下開口１７下方に位置し、下開口１７から撥ねた、或いは本体１０外壁に沿って滴る水滴を受け止めることができる。導水槽１９の外端頂点縁は、外へと平らに伸びて接触面１９０を有する。接触面１９０と下固定板１２との間には、サポート棒１と垂直に交接する複数の連接管３端部を嵌め入れ、固定することができる（図９参照）。
【００１８】
日除け板２の連接に用いる中間用サポート棒１ｂは、図２に示すとおり、両側に、辺用サポート棒１ａの肩部１１、下固定板１２、上固定リップ１３Ａ、下固定リップ１３Ｂ、複数の下開口１７、複数の上開口１８、遮水板１０１、遮水部１０２、導水槽１９をそれぞれ設置する。上記した構造は、辺用サポート棒１ａと相同であるため、再記述しない。
【００１９】
サポート棒１と日除け板２との結合時には、以下のステップを含む。
１.設置位置に、横方向サポート梁５を固定し、日除け板キットを支える骨格とする（図３〜図７参照）。サポート梁５頂点面の、各サポート棒１（辺用サポート棒１ａ或いは中間用サポート棒１ｂ）を結合する予定の位置（日除け板キット両側の最外辺位置には、辺用サポート棒１ａを採用する。日除け板キットの各２個の日除け板２の間位置には、中間用サポート棒１ｂを採用する）には、螺合部材により、結合台４を固定する。結合台４頂点面は、サポート棒１の底端幅に対応し、結合槽４０を区画する。これにサポート棒１底部を嵌め入れ、さらに穿接部材４１により、サポート棒１の導水槽１９側壁腹部と螺接し、サポート棒１をサポート梁５上に固定する。
２.複数の連接管３を間隔を開けて配列し、両端は、相互に隣り合う２個のサポート棒１の導水槽１９の接触面１９０上にそれぞれ嵌め入れる。これにより、螺合部材は、接触面１９０下方より上方へと、連接管３を、サポート棒１の接触面１９０と固定して結合し、サポート棒１の間には、横方向の結合応力を有する。
３.各連接管３の頂点面には、棒状パッド９を固定する。棒状パッド９頂点面には、軟性防水棒９０を固定する（図５、図９参照）。
４.各日除け板２の両端を、頂点面に既に防水棒１５を嵌めて設置した下固定板１２上方に、それぞれ立てる。続いて、底端に既に防水棒１５を嵌めて設置した圧板１４を持ち、圧板１４の下湾部１４２と上固定リップ１３Ａのフック口とを引っ掛け、固定部材１６により、圧板１４上方で上固定リップ１３Ａに近い端より、上から下へと斜めに挿入し、サポート棒１の肩部１１と固定して接続し、圧板１４と上固定リップ１３サポート棒１の引っ掛け端を支点とし、圧板１４を下方へと押す。これにより、日除け板２端部は、圧板１４と下固定板１２との間の挟合槽１４１内に力を入れて挟持される（図９、図１０参照）。且つ日除け板２上下端の防水棒１５は一緒に圧迫されるため、日除け板２とサポート棒１との結合位置は、防水性を備える。且つ、各日除け板２の中間部分底面（すなわち、各２個のサポート棒１の間の日除け板２底面）は、各連接管３頂点面の棒状パッド９、及びその上の軟性防水棒９０により支えられる（図８Ａ、Ｂ、Ｃ参照）。
５.日除け板２とサポート棒１との結合位置の防水効果を、さらに高めるため、本体１０と上固定リップ１３Ａとの間の内挟角位置Ａ（図９、図１０参照）において、防水接着剤を塗布する。これにより、防水接着剤と本体１０と上固定リップ１３Ａに設置する第一、第二歯面１３０、１４３は、ラフ面として結合する。こうして、防水接着剤と本体１０、上固定リップ１３Ａとの結合効果を、向上させることができる。
【００２０】
日除け板２とサポート棒１とを結合後、各サポート棒１が傾斜して固定された後の低端口には、蓋板１０Ｃを設置する（図５、図８Ｃ参照）。蓋板１０Ｃ底端には、通口１０Ｄを備え、サポート棒１の水槽１００に対応し、ネジ１０Ｅにより、蓋板１０Ｃとサポート棒１端部の上、下固定穴１０Ｂ、１０Ａを螺接し、各サポート棒１の低端口を封鎖する。
けれども、水槽１００内の水は、蓋板１０Ｃの通口１０Ｄを通して排出される。
【００２１】
日除け板キット全体の最低端には、集水梁７を設置する（図５、図７、図８Ｃ参照）。
集水梁７は、各サポート棒１低端位置に固定され、各サポート棒１と垂直に交接し、両端には、封鎖板７１を有し、頂点端は貫通し、且つ内部には、集水槽７０が区画される。集水槽７０と各サポート棒１の蓋板１０Ｃ通口１０Ｄ及び各日除け板２低端の端縁は、相互に通じる。これにより、各サポート棒１の水槽１００に、もし雨水が入り、或いは雨水が各日除け板２頂点面に落下しても、各雨水は、蓋板１０Ｃの通口１０Ｄと日除け板２頂点面を経由し、集水梁７の集水槽７０に排入され、収集される。その後、さらに縦方向に設置する他管６を通じて排出される。他管６は、集水梁７を固定し支える機能をも有する。
【００２２】
さらに、固定棒８を設置する（図５、図８Ａ参照）。固定棒８の側壁は、各サポート棒１高短位置の垂直固定壁面Ｂ上に固定され（図７参照）、各サポート棒１と平面式に垂直交接する。固定棒８の、各サポート棒１に面する端には、嵌入槽８０を有する。嵌入槽８０には、各サポート棒１の高端を嵌入して、固定し支える。嵌入槽８０の内壁の、日除け板２に対応する端縁位置には、托板８１を嵌めて固定する。托板８１頂点面には、軟性防水棒８２を固定する。固定棒８内に嵌めて入れる日除け板２端縁底面は、防水棒８２上に位置し、托板８１に支えられ、日除け板２の該端のサポート応力を向上させることができる。
【００２３】
本考案のサポート棒１は、応用においては、日除け板２下方と上方の区画された２個の空間に位置し、サポート棒１の下開口１７、サポート棒１の本体１０内部、上開口１８と相互に通じる。そのため、日除け板２下方の熱気は、熱上昇原理により、この通路を通って、日除け板２上方へと排出され、日除け板２下方の蒸し暑さを回避することができる。
【００２４】
サポート棒１は防水の面では、日除け板２との結合位置に、防水棒１５を有し、防水接着剤を塗布する他に、圧板１４は、固定部材１６の固定力の下向きの圧力を受け、日除け板２は極めて堅固に挟持され、防水性は良好となる。サポート棒１の下固定板１２と肩部１１との間には、下方へと陥没した予備の防滲水槽１２１を有する。サポート棒１と日除け板２との結合位置に、万が一水が滲み入った場合には、防滲水槽１２１により収集することができる。サポート棒１は、上開口１８上方口縁に、下方へと斜めに延伸する遮水板１０１を設置する。これにより、上開口１８を経てサポート棒１の本体１０内に進入しようとする大部分の雨水を遮断できる。そのため、たとえ強風や豪雨で、わずかの雨水がサポート棒１内に進入しても、雨水は、本体１０内の水槽１００を経て、集水梁７内に自然に流れ入る。サポート棒１の本体１０内壁に付着しているいくらかの水滴は、内壁に沿って自然に下に向い、サポート棒１の下開口１７を経て、サポート棒１外側へと流れる恐れがある。しかし、本考案は、サポート棒１の本体１０内に位置し、且つ上、下開口１８、１７の間に、遮水部１０２を設置するため、遮水部１０２は、上記の水滴を遮り、下に落してしまい、サポート棒１の本体１０内壁に沿って、下開口１７に流入することはない。これにより、水滴は日除け板２の下方空間に流入することができる。水滴が万が一、下開口１７を経てサポート棒１外へと流出しても、下開口１７下方にはさらに、導水槽１９を設置するため、下方へ向う水滴もまた、導水槽１９に受けられ、その後は集水梁７の集水槽７０内に流入する。こうして、水滴は、日除け板２下方に流入することはない。
【００２５】
図１１に示すとおり、日除け板２の厚さが比較的薄い時には、日除け板２を下固定リップ１３Ｂに取り付け、比較的薄い日除け板２に対応して使用する。さらに、防水接着剤を、下固定リップ１３Ｂの第三歯面１３２、及び圧板１４の第二歯面１４３上に塗布する。
【００２６】
上記を総合すると、本考案は以下のような長所と効果を備える。
１.サポート棒１により、日除け板２の上、下端は、通風性を備えるため、日除け板２下方の熱い空気は、サポート棒１の下開口１７、本体１０内部、上開口１８を経て上方へと排出されるため、日除け板２下の蒸し暑さを回避することができる。
２.日除け板２は、挟合方式により固定を採用するため、日除け板２が破壊を受けることはなく、日除け板２の応力が破壊されることもない。且つネジを通して固定される日除け板２の周囲の防水性を、修復する必要もない。
３.サポート棒１の上開口１８には、遮水板１０１を設置するため、上開口１８からサポート棒１へと雨水が撥ねて入ることを阻害することができる。
４.サポート棒１内部には、遮水部１０２を設置するため、本体１０内壁に沿って、雨水が下開口１７位置へと流入するのを阻害することができる。
５.サポート棒１外側底端には、導水槽１９を設置するため、たとえ雨水が本体１０内壁に沿って、下開口１７外へと流れても、導水槽１９内に流入して排出される。こうして、日除け板２下方に、水滴が落下する恐れはない。
６.日除け板２の厚さに応じて、圧板１４を上固定リップ１３Ａに取り付けるか、下固定リップ１３Ｂに取り付けるかを決定でき、応用においてフレキシビリティを備える。
【００２７】
図１２は、本考案第二実施形態の辺用サポート棒１ｃと日除け板２など結合の側視図である。図に示すように、本考案第二実施形態の辺用サポート棒１ｃの、第一実施形態の辺用サポート棒１ａとの、構造上の差異を以下に説明する。第二実施形態の辺用サポート棒１ｃの固定リップ１３頂点面には、フック口を有する他に、固定リップ１３のフック口頂点縁には、外へと延伸して、下方へと斜めに伸びる導引面１３３を有する。固定リップ１３上方には、下圧機構（弾性を備える下圧棒１０ａ）を設置する。下圧棒１０ａ一端は、辺用サポート棒１ｃ本体１０側壁と連接し、別の一端は、下方へと湾曲し、下圧端１０ｂを有する。下圧端１０ｂは、固定リップ１３の導引面１３３外側に位置し、導引面１３３との間に、縦方向の挟持間隙を有する。圧板１４は、第一実施形態に示すように、一端には、下湾部１４２を有し、固定リップ１３頂点面のフック口と、掛けて接続し、他端底面には、防水棒１５を嵌めて接続し、日除け板２頂点面と密着する。圧板１４の頂点面は、下圧端１０ｂに対応し、下方へと陥没した係合道１４４を有し、施工時には、工具を施力段面１４５に嵌め入れる。これにより、圧板１４端部は、固定リップ１３の導引面１３３と下圧棒１０ａの下圧端１０ｂ間の縦方向挟合間隙より、挿入され、工具（ドライバーなど）の作用端により、圧板１４の施力段面１４５を押す。こうして、圧板１４の下湾部１４２は、縦方向挟合間隙内に自然に進入し、固定リップ１３のフック口と引っ掛かり接続後、下圧棒１０ａの下圧端１０ｂは、圧板１４頂点面の係合道１４４内に入り係合し、圧板１４を嵌合する。さらに、下圧棒１０ａの下方へと湾曲する弾力により、圧板１４を下方へと押し、こうして圧板１４下方に位置する防水棒１５は、日除け板２頂点面と緊密に接触し、防水効果を発揮する。また、防滲水槽１２１は、大きさを拡大することができる。これにより、圧板１４は、第一実施形態のように、固定部材１６により、肩部１１と螺接する必要がなくなり、施工の便が向上する。図３は、本考案第二実施形態の中間用サポート棒１ｂと日除け板２など結合の側視図である。図に示すとおり、圧板１４の固定方式は、辺用サポート棒１ｃと相同であるため、再記述しない。
【００２８】
図１４は、本考案第三実施形態の辺用サポート棒１ｅと日除け板２など結合の側視図である。本考案第三実施形態の辺用サポート棒１ｅは、第二実施形態の辺用サポート棒１ｃと、その構造及び技術は相同であるが、形状のみ異なる。係合接続方式により、圧板１４を固定し、且つ圧板１４は、下圧力を備え、防水棒１５を押さえ、日除け板２の頂点面に密着させる。図１５は、本考案第三実施形態の中間用サポート棒１ｆと日除け板２など結合の側視図である。本実施形態における圧板１４の接続方式は、図１４に示す辺用サポート棒１ｅと相同である。
【００２９】
図１６、図１８に示すように、本考案第四実施形態の辺用サポート棒１ａと、図１に示す辺用サポート棒１ａとの差異について、以下に説明する。下固定板１２の第一嵌槽１２０には、外へと翼板１２２を延伸する。図１８に示すとおり、ネジ１２３を翼板１２２に通した後、連接管３頂点面と螺合して固定する。これにより、辺用サポート棒１ａと連接管３との間は、ネジ１２３及び接触面１９０上の螺合部材により、上下に螺接して固定する。また、辺用サポート棒１ａの導水槽１９槽内底面には、係止体１９１を突出状に設置する。係止体１９１は、三角錐状を呈し、工具（スクリュードライバーなど）によりネジ１９２を固定し、ネジ１９２作用端を、係止体１９１の斜面に対応させる。これにより、ネジ１９２の滑りを回避し、その後、力を入れて螺入することで、ネジ１９２は、本体１０とサポート梁５とを螺接する。こうして、上記した結合台４の設置を省くことができる。他の構造と機能は、第一実施形態のサポート棒１ａと同様であるため、記述しない。
【００３０】
図１７、図１９は、本考案第四実施形態の中間用サポート棒１ｂの構造を示す側視図である。本考案第四実施形態の中間用サポート棒１ｂの構造の、上記した図２に示す中間用サポート棒１ｂとの主要な差異を以下に記載する。両側の下固定板１２の第一嵌槽１２０底面は、外へと翼板１２２を延伸する。導水槽１９槽内底面には、上方へと係止体１９１を突出状に設置する。係止体１９１は、三角錐状を呈する。これにより、上記した結合台４の設置を省くことができ、中間用サポート棒１ｂを、サポート梁５と直接螺接することができる。且つ、中間用サポート棒１ｂと連接管３との間の固定（図１９参照）は、より堅固となる。
【００３１】
図２０〜図２３は、本考案第五実施形態の辺用サポート棒１ｃと中間用サポート棒１ｄの構造図である。第五実施形態の辺用サポート棒１ｃと中間用サポート棒１ｄと、図１２に示す第二実施形態の辺用サポート棒１ｃ、図１３に示す第二実施形態の中間用サポート棒１ｄとの、構造上の主要な差異を以下に記載する。下固定板１２の第一嵌槽１２０底面には、外へと翼板１２２を延伸する。導水槽１９槽体底面には、上方へと係止体１９１を突出状に設置する。係止体１９１は、三角錐状を呈する。これにより、上記した結合台４の設置を省くことができ、中間用サポート棒１ｂを、サポート梁５と直接螺接することができる。且つ、中間用サポート棒１ｂと連接管３との間の固定は、より堅固となる。
【符号の説明】
【００３２】
１  サポート棒
１ａ、１ｃ、１ｅ  辺用サポート棒
１ｂ、１ｄ、１ｆ  中間用サポート棒
２  日除け板
１０  本体
１００  水槽
１０Ａ  下固定孔
１１  肩部
１２  下固定板
１２０  第一嵌槽
１２１  防滲水槽
１２２  翼板
１２３  ネジ
１３  固定リップ
１３Ａ  上固定リップ
１４  圧板
１４０  第二嵌槽
１４１  挟合槽
１４２  下湾部
１５、９０、８２  防水棒
１６  固定部材（下圧機構）
１３０  第一歯面
１４３  第二歯面
Ａ  内挟角位置
１３Ｂ  下固定リップ
１３２  第三歯面
１７  下開口
１８  上開口
１０１  遮水板
１０Ｂ  上固定孔
１０２  遮水部
１９  導水槽
１９０  接触面
１９１  係止体
１９２  ネジ
３  連接管
５  サポート梁
４  結合台
４０  結合槽
１０Ｃ  蓋板
１０Ｄ  通口
１０Ｅ  ネジ
７  集水梁
７０  集水槽
７１  封鎖板
６  他管
８  固定棒
Ｂ  固定壁面
８０  嵌入槽
８１  托板
９  棒状パッド
１３３  導引面
１０ａ  下圧棒（下圧機構）
１０ｂ  下圧端
１４４  係合道
１４５  施力段面
【図１】
0003197347.tif 000003
【図２】
0003197347.tif 000004
【図３】
0003197347.tif 000005
【図４】
0003197347.tif 000006
【図５】
0003197347.tif 000007
【図６】
0003197347.tif 000008
【図７】
0003197347.tif 000009
【図８Ａ】
0003197347.tif 000010
【図８Ｂ】
0003197347.tif 000011
【図８Ｃ】
0003197347.tif 000012
【図９】
0003197347.tif 000013
【図１０】
0003197347.tif 000014
【図１１】
0003197347.tif 000015
【図１２】
0003197347.tif 000016
【図１３】
0003197347.tif 000017
【図１４】
0003197347.tif 000018
【図１５】
0003197347.tif 000019
【図１６】
0003197347.tif 000020
【図１７】
0003197347.tif 000021
【図１８】
0003197347.tif 000022
【図１９】
0003197347.tif 000023
【図２０】
0003197347.tif 000024
【図２１】
0003197347.tif 000025
【図２２】
0003197347.tif 000026
【図２３】
0003197347.tif 000027
【手続補正書】
【提出日】平成27年3月4日(2015.3.4)
【手続補正１】
【補正対象書類名】実用新案登録請求の範囲
【補正対象項目名】請求項２
【補正方法】変更
【補正の内容】
【請求項２】
前記日除け板サポート棒構造であって、
肩部、前記下固定板、前記固定リップ、前記複数の下開口、前記複数の上開口、前
記遮水板、前記導水槽は、前記本体両側にそれぞれ設置され、
これにより、前記サポート棒は、２個の日除け板を接続する日除け板中間サポート棒として用いられることを特徴とする請求項１に記載の日除け板サポート棒構造。